(57)【要約】
【課題】  パッケージから少し離れたところからでも表示部分が識別でき、実際にそのゴルフボールを使用しているプロゴルファーの写真や絵とともに、そのプロゴルファーのコメントも表示することで、単に「飛ぶ」とか「曲がらない」、あるいは「ソフトな打感」などの表示よりも説得力を増し、購買意欲を増大させることができる。
【解決手段】  複数個のゴルフボール４を収納するゴルフボール用パッケージ１において、そのゴルフボール４を使用するプロゴルファーの写真や絵を平板な側面の半分以上の面積を占めるように表示するとともに、当該プロゴルファーのそのゴルフボール４に対するコメントを写真等表示部６とは別の平板な側面の全体にわたって大きく表示して機能表示部５とした。
【選択図】  図２
0003101286.tif 000002
【実用新案登録請求の範囲】
【請求項１】
複数個のゴルフボールを収納するゴルフボール用パッケージにおいて、
そのゴルフボールを使用するプロゴルファーの写真や絵を平板な側面の半分以上の面積を占めるように表示するとともに、当該プロゴルファーのそのゴルフボールに対するコメントを写真等表示部とは別の平板な側面の全体にわたって大きく表示して機能表示部としたことを特徴とするゴルフボール用パッケージ。
【請求項２】
前記コメントは、写真等表示部の残りのスペースにも表示したことを特徴とする請求項１に記載のゴルフボール用パッケージ。
【請求項３】
ゴルフボールを収納せずに平板状に折り畳んだ状態で写真等表示部と機能表示部とが並んで表示したものをそのゴルフボールの広告用に用いたことを特徴とする請求項１又は２に記載のゴルフボール用パッケージ。
【考案の詳細な説明】
【技術分野】
【０００１】
本考案は、ゴルフボール用パッケージに関し、特に販売店での広告用に適したゴルフボール用パッケージに関する。
【背景技術】
【０００２】
一般的なゴルフボール用パッケージとしては、２〜５個のボールを収納したスリーブ箱が知られ、その外表面に商品名と商品特性が表示されている。例えば、そのゴルフボールの特性として「曲りにくい」ということをアピールする場合でも、その表示は、平板な一つの側面の４分の１ないし５分の１程度の大きさを占める程度であり、その他の特性表示などは、９ポイントないし１４ポイント程度の字の大きさであるのが普通であった。
【０００３】
このようにパッケージの外表面に工夫を施したものとしては、収納したゴルフボールの識別番号を表示するラベルを貼り付けたもの（特許文献１参照）や、長手方向を４つの区画に分けた４面を明色領域、暗色領域、明色領域、異色領域としたもの（特許文献２参照）が知られている。
【特許文献１】特開２００３−９３５４６号公報（第２頁、図１）
【特許文献２】特開２０００−３４４２８４号公報（第２頁、図１（ｂ））
【考案の開示】
【考案が解決しようとする課題】
【０００４】
従来のパッケージ外表面に工夫をしたもののいずれも写真や絵などの表示や文字の表示は、少し離れた距離からでは識別しにくい大きさであり、広告宣伝効果の面ではインパクトが弱いものであった。購入者は、パッケージを手にとってその商品名や商品特性を読んで買うか買わないかを決めていた。パッケージを手にとって表示を読む前に、購入者を惹きつける表示がなされたパッケージが望まれていた。
【０００５】
そこで、本考案は、パッケージから少し離れたところからでも表示部分が識別でき、実際にそのゴルフボールを使用しているプロゴルファーの写真や絵とともに、そのプロゴルファーのコメントも表示することで、単に「飛ぶ」とか「曲がらない」、あるいは「ソフトな打感」などの表示よりも説得力を増し、購買意欲を増大させることのできるゴルフボール用パッケージを提供することを目的とする。
【課題を解決するための手段】
【０００６】
上述の目的を達成するため、本考案は、複数個のゴルフボールを収納するゴルフボール用パッケージにおいて、そのゴルフボールを使用するプロゴルファーの写真や絵を平板な側面の半分以上の面積を占めるように表示するとともに、当該プロゴルファーのそのゴルフボールに対するコメントを写真等表示部とは別の平板な側面の全体にわたって大きく表示して機能表示部としたものである。
【考案の効果】
【０００７】
この考案によれば、そのゴルフボールを使用するプロゴルファーの写真や絵を平板な側面の半分以上の面積を占めるように表示するとともに、当該プロゴルファーのそのゴルフボールに対するコメントを写真等表示部とは別の平板な側面の全体にわたって大きく表示して機能表示部としたので、このゴルフボール用パッケージから少し距離をおいた場所からでも購入者の目を惹くことができ、宣伝広告効果が高い。また、このゴルフボールを実際に使用するプロゴルファーの写真や絵とともに、そのプロゴルファーのコメントも表示してあるので、購入者にとって、自分の所望の機能を有するゴルフボールを入手し易くなるとともに、自分の好きなプロゴルファーと同じボールを使用することの満足感を得ることができる。また、このようなパッケージは、ゴルフボールを収納せずに平板状に折り畳んだ状態で写真等表示部と機能表示部とが並んで表示したものをそのゴルフボールの広告用に用いることもでき、宣伝広告効果を一層高めることができる。
【考案を実施するための最良の形態】
【０００８】
以下に、本考案の好適な実施形態について、図面を参照にして説明する。
【０００９】
本考案の実施形態では、図１に示すように、パッケージ１は、スリーブ状に組立てられた箱本体２の少なくとも一方の端部にフラップ３を設けた構成になっている。このパッケージ１では、３個のゴルフボール４を収納できる大きさに形成されている。しかしながら、ゴルフボール４の個数は、２〜６個の範囲で適宜選択することができ、収納個数に応じた大きさの箱本体２を形成することもできる。この箱本体２は側面に４つの平板な面を有し、１つまたは２つの平板な面の全体にわたってそのゴルフボール４の機能を説明するための文字を印刷した機能表示部５を有している。この機能表示部５は、このゴルフボール４を使用するプロゴルファーのコメントをこの平板な側面の全体にわたって大きく表示してある。
【００１０】
図２は、ゴルフボール４を収納せずに平板状に折り畳んだ状態のパッケージ１を示し、図１で示す機能表示部５とは反対側の平板な側面にも同様の機能表示部５を表示し、その横にはそのゴルフボール４を使用するプロゴルファーの写真或いは絵を平板な側面の半分以上の面積を占めるように表示してある。この写真等表示部６は、フラップ３にも形成することができる。このフラップ３に形成した写真等の表示部は符号６´で示す。さらに写真等表示部６の残りのスペース２もそのプロゴルファーのコメントを表示した機能表示部５´として表示することもできる。このパッケージ１を折り畳んだ状態で広告用に用いることもできる。
【００１１】
図３は他の実施形態を示すものであり、種類の異なるゴルフボール４を収納するためのパッケージ１を示す。
【図面の簡単な説明】
【００１２】
【図１】本考案の一実施形態を示す正面図。
【図２】図１のパッケージを折り畳んだ状態の正面図。
【図３】他の実施形態を示す折り畳んだ状態の正面図。
【符号の説明】
【００１３】
１  パッケージ
４  ゴルフボール
５  機能表示部
６  写真等表示部
【図１】
0003101286.tif 000003
【図２】
0003101286.tif 000004
【図３】
0003101286.tif 000005